(57)【特許請求の範囲】
【請求項１】
自動車のためのダッシュボード（１）であって、ダッシュボードは少なくとも１つのディスプレイエリアを含み、
−  ディスプレイエリアは、第１の部分（１．１）を含み、
−  ディスプレイエリアは、第２の部分（１．２）を含み、
ディスプレイエリアの第１の部分（１．１）は、第１のメイン拡張平面中に位置し、
ディスプレイエリアの第２の部分（１．２）は、第２のメイン拡張平面中に位置し、
第２のメイン拡張平面は、第１のメイン拡張平面と平行に位置しており、第２のメイン拡張平面は、ディスプレイエリアの第２の部分（１．２）がディスプレイエリアの第１の部分の少なくとも部分的に周りに開口（１．３）を形成し、ディスプレイエリアの第１の部分（１．１）がダッシュボード（１）の中央エリアに位置しているようなやり方で、ダッシュボード（１）のユーザの方向における第１のメイン拡張平面に対するオフセットであり、
ダッシュボード（１）は、ディスプレイエリアを照らす光を発光するための光源（１．１．２）を含み、ディスプレイエリアは、開口（１．３）が少なくとも部分的にフレーム部材（２．１）の周りに位置するように、ディスプレイエリアの第１の部分（１．１）を取り囲むことによってディスプレイエリアの第１の部分（１．１）を規定するためのフレーム部材（２．１）を含み、光源（１．１．２）は、ディスプレイエリアの第１の部分（１．１）にバックライトを照らすための第１の部分と、ディスプレイエリアの第２の部分（１．２）にバックライトを照らすための第２の部分を含み、光源（１．１．２）の第２の部分はディスプレイエリアの第１の部分（１．１）を越えて伸長し、光源（１．１．２）の第２の部分からの光がフレーム部材（２．１）の周りの開口（１．３）の位置を照らして、ディスプレイエリアの第１の部分（１．１）の周りにハロー効果を作り出すようにフレーム部材（２．１）の周りの開口（１．３）を通してダッシュボード（１）のユーザによって光源（１．１．２）の第２の部分からの光が視認可能であるようになっていることを特徴とする、ダッシュボード（１）。
【請求項２】
光源（１．１．２）の第２の部分からの光が、ディスプレイエリアの第１の部分（１．１）を規定するためにフレーム部材（２．１）の領域を照らすことを特徴とする、請求項１記載のダッシュボード（１）。
【請求項３】
光源（１．１．２）の第２の部分の照明は、ダッシュボード（１）のユーザによって視認可能であることを特徴とする、請求項１または２記載のダッシュボード（１）。
【請求項４】
光源（１．１．２）の第２の部分からの光は、ディスプレイエリアの第１の部分（１．１）を規定するためにフレーム部材（２．１）の外部部分においてダッシュボード（１）のユーザによって視認可能であることを特徴とする、請求項１から３のいずれか１つに記載のダッシュボード（１）。
【請求項５】
ダッシュボード（１）は、回転軸の周りを回転させられる針を含み、回転軸は、ディスプレイエリアの第１の部分（１．１）中に配置されることが意図されており、針は、ディスプレイエリアの第２の部分（１．２）においてのみユーザによって視認可能であることを特徴とする、請求項１から４のいずれか１つに記載のダッシュボード（１）。
【請求項６】
ディスプレイエリアの第１の部分（１．１）は、ディスプレイデバイス、特に液晶ディスプレイ（ＬＣＤ）を含むことを特徴とする、請求項１から５のいずれか１つに記載のダッシュボード（１）。
【請求項７】
ディスプレイデバイスは、マトリクス型のディスプレイデバイスであることを特徴とする、請求項１から６のいずれか１つに記載のダッシュボード（１）。
【請求項８】
ダッシュボード（１）は、回転軸の周りを回転させられる針を含み、回転軸は、ディスプレイエリアの第１の部分（１．１）中に配置されることが意図されており、針は、ディスプレイエリアの第１の部分（１．１）においてユーザによって視認可能であることを特徴とする、請求項１から４、６、７のいずれか１つに記載のダッシュボード（１）。
【請求項９】
自動車のためのダッシュボードを組み立てるための方法であって、ダッシュボードは少なくとも１つのディスプレイエリアを含み、
−  ディスプレイエリアは、第１の部分（１．１）を含み、
−  ディスプレイエリアは、第２の部分（１．２）を含み、
ディスプレイエリアの第１の部分（１．１）は、第１のメイン拡張平面中に位置し、
ディスプレイエリアの第２の部分（１．２）は、第２のメイン拡張平面中に位置し、
第２のメイン拡張平面は、第１のメイン拡張平面と平行に位置しており、第２のメイン拡張平面は、ディスプレイエリアの第２の部分（１．２）がディスプレイエリアの第１の部分の少なくとも部分的に周りに開口（１．３）を形成し、ディスプレイエリアの第１の部分がダッシュボードの中央エリアに位置しているようなやり方で、ダッシュボード（１）のユーザの方向における第１のメイン拡張平面に対するオフセットであり、
ダッシュボード（１）は、ディスプレイエリアを照らす光を発光するための光源（１．１．２）を含み、ディスプレイエリアは、開口（１．３）が少なくとも部分的にフレーム部材（２．１）の周りに位置するように、ディスプレイエリアの第１の部分（１．１）を取り囲むことによってディスプレイエリアの第１の部分（１．１）を規定するためのフレーム部材（２．１）を含み、光源（１．１．２）は、ディスプレイエリアの第１の部分（１．１）にバックライトを照らすための第１の部分と、ディスプレイエリアの第２の部分（１．２）にバックライトを照らすための第２の部分を含み、
組み立て方法は、光源（１．１．２）の第２の部分がディスプレイエリアの第１の部分（１．１）を越えて伸長するようなやり方で、その間にフレーム部材（２．１）が配置され、光源（１．１．２）の第２の部分からの光がフレーム部材（２．１）の周りの開口（１．３）の位置を照らして、ディスプレイエリアの第１の部分（１．１）の周りにハロー効果を作り出すようにフレーム部材（２．１）の周りの開口（１．３）を通してダッシュボード（１）のユーザによって光源（１．１．２）の第２の部分からの光が視認可能であるようになっているところの段階を含むことを特徴とする、方法。
【発明の詳細な説明】
【技術分野】
【０００１】
本発明は、一方において、特に自動車のための、ダッシュボードに関し、他方において、自動車のためのダッシュボードの組み立て方法に関する。
【背景技術】
【０００２】
発光後光効果（ハロー効果）を作り出す自動車のためのダッシュボードは、例えば文献US 2006/0120062 A1から、従来技術において知られている。
【０００３】
そのようなダッシュボードは、例えば速度や車両のドライバーが関心のあるその他の数量のような値を表示するために、曲げられた針のような針からなり得る。
【０００４】
加えて、第１の部分からなり第２の部分からなるディスプレイエリアであって、ディスプレイエリアの第１の部分がダッシュボードの中央エリアに位置するように、ディスプレイエリアの第１の部分が第１のメイン拡張平面中に位置し、ディスプレイエリアの第２の部分が第２のメイン拡張平面中に位置するもの、からなるダッシュボードが知られている。
【０００５】
ダッシュボードが針の回転軸においてかまたはその近傍でその他の情報を表示することを許容するために、ダッシュボードのダイアルの背後の回転軸の周りを回転することを引き起こされることができる、曲がった針を提供することも知られている。
【０００６】
従来技術によると、関連付けられたコストが最小化され、それでも多数の異なる機能、特にダッシュボードを照らすモードのようなユーザのための快適機能が行われるようなやり方に、ダッシュボードをすることは困難である。
【発明の概要】
【０００７】
本発明の目的は、特に、従来技術の欠点、特に上述したもの、を克服することであり、更なる目的は、追加の照明モードが得られるようなやり方でダッシュボードを提案することである。
【０００８】
発明によると、この目的は、自動車のためのダッシュボードであって、ダッシュボードは少なくとも１つのディスプレイエリアを含み、
−  ディスプレイエリアは、第１の部分を含み、
−  ディスプレイエリアは、第２の部分を含み、
ディスプレイエリアの第１の部分は、第１のメイン拡張平面中に位置し、
ディスプレイエリアの第２の部分は、第２のメイン拡張平面中に位置し、
第２のメイン拡張平面は、第１のメイン拡張平面と平行に位置しており、第２のメイン拡張平面は、ディスプレイエリアの第２の部分がディスプレイエリアの第１の部分の少なくとも部分的に周りにダイアフラム開口を形成し、ディスプレイエリアの第１の部分がダッシュボードの中央エリアに位置しているようなやり方で、ダッシュボードのユーザの方向における第１のメイン拡張平面に対するオフセットであり、ダッシュボードは、光源を含み、ディスプレイエリアは、ディスプレイエリアの第１の部分を規定するためのフレーム部材を含み、光源は、ディスプレイエリアの第１の部分にバックライトを照らすための第１の部分を含み、光源は、その中で光源がディスプレイエリアの第１の部分を越えて伸長する第２の部分を含むもの、によって達成される。
【０００９】
そのようなダッシュボードの実践では、ディスプレイエリアの第１の部分とディスプレイエリアの第２の部分の間でハローの形の照明を提供することが有利なことに可能である。
【００１０】
本発明によると、ディスプレイエリアの第２の部分は、別の光源からなる。１つの光源と別の光源で、ディスプレイエリアの第１の部分とディスプレイエリアの第２の部分にバックライトを照らすことが可能である。ダッシュボードは、ディスプレイエリアの第１の部分と関連付けられた取り付け部材からなる。加えて、ダッシュボードは、光源とディスプレイデバイスからなり、光源とディスプレイデバイスもまたディスプレイエリアの第１の部分と関連付けられている。本発明によると、ディスプレイエリアの第１の部分を規定するために、ディスプレイエリアの第１の部分と関連付けられたディスプレイデバイスが、その寸法の点で、フレーム部材と近似的に対応することが好ましい。
【００１１】
光源が（その第２の部分において）ディスプレイエリアの第１の部分を越えて伸長する、つまり、ディスプレイエリアの第１の部分を規定するために光源が（その第２の部分において）フレーム部材を越えて伸長する、ための対策が本発明に従って講じられる。
【００１２】
よって、一様かまたは規則的な照明が第１のメイン拡張平面と第２のメイン拡張平面の間のジャンプの位置において（つまり、ディスプレイエリアの第１の部分とディスプレイエリアの第２の部分において）設けられることが、本発明に従って有利なことに可能である。
【００１３】
発明の好ましい実施形態は、光源の第２の部分からの光が、ディスプレイエリアの第１の部分を規定するためにフレーム部材の領域を照らす、という事実に存する。
【００１４】
そのような本発明によるダッシュボードの実践では、光源（の第１の部分）をディスプレイエリアの第１の部分の照明のために適応させることが有利なことに可能である。
【００１５】
本発明によるダッシュボードの別の好ましい実施形態によると、光源の第２の部分の照明が、ダッシュボードのユーザによって視認可能となるための対策が講じられる。
【００１６】
本発明によるダッシュボードのもっと別の好ましい実施形態によると、光源の第２の部分からの光が、ディスプレイエリアの第１の部分を規定するためにフレーム部材の外部部分においてダッシュボードのユーザによって視認可能となるための対策が講じられる。
【００１７】
そのような本発明によるダッシュボードの実践では、ディスプレイエリアの第１の部分の周りにハロー効果を作り出すことが有利なことに可能である。
【００１８】
本発明によるダッシュボードのもっと更なる好ましい実施形態によると、ダッシュボードが、回転軸の周りを回転することを引き起こされる針からなり、回転軸は、ディスプレイエリアの第１の部分中に配置されることが意図されており、針は、ディスプレイエリアの第２の部分においてのみユーザによって視認可能であるための対策が講じられる。
【００１９】
そのようなダッシュボードの実践では、ダッシュボードの中央部分を、針によって指し示された情報以外の情報を表示するために使用することが有利なことに可能である。
【００２０】
発明の別の好ましい実施形態は、ディスプレイエリアの第１の部分が、ディスプレイデバイス、特に液晶ディスプレイ（ＬＣＤ）からなる、という事実に存する。
【００２１】
発明のもっと別の好ましい実施形態は、ディスプレイデバイスが、マトリクス型のディスプレイデバイスである、という事実に存する。
【００２２】
発明の別の好ましい実施形態は、ダッシュボードが、回転軸の周りを回転することを引き起こされる針からなり、回転軸は、ディスプレイエリアの第１の部分中に配置されることが意図されており、針は、ディスプレイエリアの第１の部分においてユーザによって視認可能である、という事実に存する。
【００２３】
本発明の別の目的は、自動車のためのダッシュボードの組み立て方法に関し、ダッシュボードは少なくとも１つのディスプレイエリアを含み、
−  ディスプレイエリアは、第１の部分を含み、
−  ディスプレイエリアは、第２の部分を含み、
ディスプレイエリアの第１の部分は、第１のメイン拡張平面中に位置し、
ディスプレイエリアの第２の部分は、第２のメイン拡張平面中に位置し、
第２のメイン拡張平面は、第１のメイン拡張平面と平行に位置しており、第２のメイン拡張平面は、ディスプレイエリアの第２の部分がディスプレイエリアの第１の部分の少なくとも部分的に周りにダイアフラム開口を形成し、ディスプレイエリアの第１の部分がダッシュボードの中央エリアに位置しているようなやり方で、ダッシュボードのユーザの方向における第１のメイン拡張平面に対するオフセットであり、
ダッシュボードは、光源を含み、ディスプレイエリアは、ディスプレイエリアの第１の部分を規定するためのフレーム部材を含み、光源は、ディスプレイエリアの第１の部分にバックライトを照らすための第１の部分を含み、組み立て方法は、光源の第２の部分がディスプレイエリアの第１の部分を越えて伸長するようなやり方で、その間にフレーム部材が配置されるところの段階を含む。
【００２４】
発明のその他の特徴および利点は、発明の特定の非限定的な実施形態の以下の記載を読んだ際に明らかとなるであろう。
【００２５】
発明は、非限定的な例として提供され、添付の概略的図面を参照して説明される、好ましい実施形態に関する、以下の記載からより容易に理解されるであろう。
【図面の簡単な説明】
【００２６】
【図１】図１は、バックライト付ダッシュボードの概略的上面図である。
【図２】図２は、既知の従来技術によるバックライト付ダッシュボードの概略図である。
【図３Ａ】図３Ａは、図２によるダッシュボードの概略的分解図である。
【図３Ｂ】図３Ｂは、光源をもち、従来技術によるバックライト付ディスプレイデバイスをもった取り付けデバイスの、サポートデバイスの概略的斜視図である。
【図３Ｃ】図３Ｃは、ダッシュボードのフレーム部材の概略的斜視図である。
【図４Ａ】図４Ａは、従来技術による光源をもった取り付けデバイスの概略的上面図である。
【図４Ｂ】図４Ｂは、光源をもち、従来技術によるバックライト付ディスプレイデバイスをもった、サポートデバイスの概略的上面図である。
【図５Ａ】図５Ａは、光源をもったサポートデバイスの概略的上面図である。
【図５Ｂ】図５Ｂは、光源とディスプレイデバイスをもったサポートデバイスの概略的上面図である。
【図６Ａ】図６Ａは、ディスプレイデバイスと図５Ｂによる光源と取り付けデバイスの概略的上面図である。
【図６Ｂ】図６Ｂは、フレーム部材中に配置され、ほぼ均一な周辺照明をもった、表示された情報をもつバックライト付ディスプレイデバイスの概略的上面図である。
【発明を実施するための形態】
【００２７】
様々な図の対応する部分またはコンポーネントパーツは、様々な図において同じ参照文字によって指し示される。
【００２８】
図１は、ダッシュボード１の概略的上面図である。
【００２９】
ダッシュボード１は、フレームデバイス２によって取り囲まれている。ダッシュボード１は、少なくとも１つのディスプレイエリアからなり、ディスプレイエリアは、ディスプレイエリアの第１の部分１．１と、ディスプレイエリアの第２の部分１．２からなる。ディスプレイエリアの第１の部分１は、フレームデバイス２の一部であるフレーム部材２．１によって取り囲まれている。フレーム部材２．１はまた、以下でフレーム２．１とも呼ばれる。
【００３０】
ディスプレイエリアの第１の部分１．１は、第１のメイン拡張平面からなる（またはその中に位置している）。ディスプレイエリアの第２の部分１．２は、第２のメイン拡張平面からなる（またはその中に位置している）。第２のメイン拡張平面は、第１のメイン拡張平面と平行に位置しており、第２のメイン拡張平面は、ディスプレイエリアの第２の部分１．２がディスプレイエリアの第１の部分１．１の少なくとも部分的に周りにダイアフラム開口１．３を形成し、ディスプレイエリアの第１の部分１．１がダッシュボード１の中央エリアに位置しているようなやり方で、ダッシュボード１のユーザの方向における第１のメイン拡張平面に対するオフセットである。
【００３１】
発明の好ましい例によると、ディスプレイエリアの第２の部分１．２は、ディスプレイエリアの第２の部分１．２が回転軸の周りを回転することを引き起こされることができる針のためのダイアルからなり、針が好ましくはディスプレイエリアの第１と第２の部分１．１と１．２中に設けられているようなやり方で、ディスプレイエリアの第１の部分１．１を取り囲む。例えば、針は、曲がった針の形で設けられていても良く、それはディスプレイエリアの第１の部分１．１（またはその前）においてはユーザによって視認可能ではなく、ディスプレイエリアの第２の部分１．２（またはその前）においてのみユーザによって視認可能である。代替的に、針は、ディスプレイエリアの第１と第２の部分１．１と１．２（またはその前）においてユーザによって視認可能な針の形で設けられていても良い。
【００３２】
ディスプレイエリアの第１の部分１．１とディスプレイエリアの第２の部分１．２の間のポイントでは、第１のメイン拡張平面から第２のメイン拡張平面への遷移がなされる。この遷移は、ユーザによって視認可能ではない。ディスプレイエリアの第１の部分１．１は、ダイアフラム開口１．３が実現されるようなやり方で、少なくとも部分的に、ディスプレイエリアの第２の部分１．２によって取り囲まれている。ダイアフラム開口１．３は、ディスプレイエリアの第２の部分１．２によって、少なくとも部分的に、取り囲まれたディスプレイエリアの第１の部分１．１を取り囲むダイアフラムのエッジとして実現される。第１の部分１．１がディスプレイエリアの第２の部分１．２によって完全に取り囲まれることも可能であり、本発明によると好ましい。
【００３３】
ここに描かれた例では、ディスプレイエリアの第１の部分１．１は、特に薄膜中のトランジスターをもったディスプレイデバイス（ＴＦＴディスプレイ、薄膜トランジスターディスプレイ）の形の、多数の情報の表示されたアイテムを表示する能力を有するディスプレイデバイス１．１．１として設けられている。ディスプレイデバイス１．１．１と関連付けられているのは、光源１．１．２であり、それは
−  接着によって果たされた接合、および／または、
−  ディスプレイデバイス１．１．１と光源１．１．２の形状により、および／または、
−  ディスプレイデバイス１．１．１と光源１．１．２の材料の融合により、
によってディスプレイデバイス１．１．１に取り付けられている。
【００３４】
光源１．１．２は、ディスプレイエリアの第１の部分１．１にバックライトを照らすために使われる。ディスプレイエリアの第２の部分のダイアフラム開口１．３の位置では、つまり、ディスプレイエリアの第１の部分１．１とディスプレイエリアの第２の部分１．２の間の遷移の位置では、特にディスプレイエリアの第２の部分１．２のバックライトに対してほぼ均一であり、ダイアフラム開口１．３の周りでほぼ均一であるように現出が分布するようなやり方で、光Ｌの現出が行われる。
【００３５】
ダイアフラム開口１．３の位置での光Ｌの現出は、ダッシュボードのユーザの方向における後光効果（「ハロー」効果）、つまり、ディスプレイエリアの第１の部分１．１の周り、つまり、ディスプレイデバイス１．１．１の周りの光の冠（または光の半円）、を作り出す。
【００３６】
ディスプレイエリアの第２の部分１．２は、一部で非透明な（またはいくつかの部分で削減された透明性を有する）膜（または層）からなる。この膜（またはこの層）のその他の部分は、ディスプレイエリアの第２の部分１．２のバックライトのせいで、シンボルおよび／またはダイアルおよび／または数字が車両のダッシュボードのユーザによって容易に視認可能であるようなやり方で、シンボルの形でおよび／またはダイアルの形でおよび／または数字の形で、より大きな透明性が提供されている。
【００３７】
図２から３Ｃは、従来技術によるダッシュボードを描く。
【００３８】
ディスプレイデバイス１．１．１は、ディスプレイデバイス１．１．１を、それによりディスプレイデバイス１．１．１が制御されることができる制御モジュール（図中には描かれていない）に接続している、導電エレメント１．１．１．１からなる。ここに描かれた例では、光源１．１．２は、電子発光性ダイオードのマトリクス（ＬＥＤアレイ、発光ダイオードのアレイ）として実現され角度をつけて形成され、９０°の角度でお互いに対して向き付けられている、第１の部分（またはブランチ）１．１．２．１と第２の部分（またはブランチ）１．１，２．２からなる。光源１．１．２の第１の部分（またはブランチ）１．１．２．1は、例えば、その使用の場所において水平に向き付けられており（図３Ａでは垂直に描かれているが）、光源１．１．２の第２の部分（またはブランチ）１．１．２．２は、例えば、その使用の場所に置いて垂直に向き付けられている（図３Ａでは水平に描かれているが）。例えば、光源１．１．２の第２の部分（またはブランチ）１．１．２．２は、ユーザに向けて向き付けられた平らな表面を形成する。光源１．１．２の第１の部分（またはブランチ）１．１．２．１は、ユーザから離れるようにそらされており、取り付けデバイス１．１．３に向けて向き付けられている。光源１．１．２の第１の部分（またはブランチ）１．１．２．１は、光源１．１．２を取り付けデバイス１．１．３に配置するかまたは取り付けるのに使われる。光源１．１．２は、
−  接着によって果たされた接合、および／または、
−  光源１．１．２と取り付けデバイス１．１．３の形状により、および／または、
−  光源１．１．２と取り付けデバイス１．１．３の材料の融合により、
によって取り付けデバイス１．１．３に取り付けられている。
【００３９】
取り付けデバイス１．１．３は、特にその使用の場所において水平に向き付けられた取り付けデバイス１．１．３の第１の部分（またはブランチ）１．１．３．１を有し（図３Ａでは垂直に描かれているが）、その使用の場所において垂直に向き付けられた取り付けデバイス１．１．３の第２の部分（またはブランチ）１．１．３．２を有する（図３Ａでは水平に描かれているが）角度を形成している、光源１．１．２の形状に対応する形状を有する。取り付けデバイス１．１．３は、特に電気的に絶縁性の材料、好ましくはプラスチック材料から実現される。取り付けデバイス１．１．３は、特にダッシュボード１のためのサポートデバイス３のためのハウジング中に、配置されている。サポートデバイス３は、特に複数の光エレメンツを受け取るのに使われる。取り付けデバイス１．１．３は、
−  接着によって果たされた接合によって、および／または、
−  光源１．１．２と取り付けデバイス１．１．３の形状によって、および／または、
−  光源１．１．２と取り付けデバイス１．１．３の材料の融合によって、
サポートデバイス３に取り付けられている。
【００４０】
図４Ａと４Ｂは、光源１．１．２をもった取り付けデバイス１．１．３の概略的上面図である。光源１．１．２の第２の部分（またはブランチ）１．１．２．２が、図４Ａに描かれている。ディスプレイデバイス１．１．１とフレーム部材２．１が、図４Ｂに描かれている。光源１．１．２の第２の部分（またはブランチ）１．１．２．２は、取り付けデバイス１．１．３の第２の部分（またはブランチ）１．１．３．２の表面に対応する表面からなり、取り付けデバイス１．１．３の第２の部分（またはブランチ）１．１．３．２の表面がディスプレイデバイス１．１．１によってほぼ完全に覆われるようになっている。
【００４１】
ディスプレイデバイス１．１．１の表面は、取り付けデバイス１．１．３の第２の部分（またはブランチ）１．１．３．２の表面および光源１．１．２の第２の部分（またはブランチ）１．１．２．２の表面とほぼ完全に対応する。光源１．１．２のこの表面はよって、ディスプレイデバイス１．１．１によってほぼ完全に覆われている。
【００４２】
図５Ａと５Ｂは、本発明によるダッシュボード１を示す。均一なやり方でディスプレイエリアの第２の部分１．２のバックライトを達成するために（つまり、ディスプレイエリアの第２の部分１．２のダイアフラム開口１．３の位置での均一なバックライトＬを達成するために）、本発明による取り付けデバイス１．１．３と光源１．１．２が図５Ａと５Ｂに示されている。特に図５Ｂでは、本発明による取り付けデバイス１．１．３の表面と、特に光源１．１．２の表面が、ディスプレイデバイス１．１．１の表面（および特にまた取り付けデバイス１．１．３の第２の部分（またはブランチ）１．１．３．２の表面）よりも大きいことが明らかであるので、光源１．１．２は、ディスプレイエリアの第１の部分１．１にバックライトを照らすための第１の部分と、その中で光源１．１．２がディスプレイエリアの第１の部分１．１を越えて伸長する第２の部分を形成する。
【００４３】
図６Ａは、ディスプレイデバイス１．１．１と、図５Ｂによる光源１．１．２と、取り付けデバイス１．１．３の概略的上面図である。図６Ａは、ディスプレイデバイス１．１．１をその照らされた状態で示す。
【００４４】
図６Ｂは、光源１．１．２の第２の部分においてほぼ均一な周辺照明をもったフレーム部材２．１中に配置された、表示された情報をもったバックライト付ディスプレイデバイス１．１．１の概略的上面図である。ディスプレイデバイス１．１．１が、フレームデバイス２のフレーム部材２．１中の光源１．１．２および取り付けデバイス１．１．３と共に配置された時には、（図１に描かれたような）光Ｌの現出が達成され、その助けにより、バックライトと光Ｌの現出が、ディスプレイエリアの第１の部分１．１とディスプレイエリアの第２の部分１．２の間の遷移のポイントにおいて（つまり、ディスプレイエリアの第２の部分１．２のバックライトも一部で）均一なやり方でだが、ディスプレイエリアの第２の部分１．２にバックライトを照らすために追加のエレメントまたは複数の追加のエレメンツを必要とすること無しに、達成されることができる。
【００４５】
［参照番号のリスト］
１              ダッシュボード
１．１          第１の部分
１．１．１      ディスプレイデバイス
１．１．１．１  導電エレメント
１．１．２      光源
１．１．２．１  光源の第１の部分（またはブランチ）
１．１．２．２  光源の第２の部分（またはブランチ）
１．１．３      取り付けデバイス
１．１．３．１  取り付けデバイスの第１の部分（またはブランチ）
１．１．３．２  取り付けデバイスの第２の部分（またはブランチ）
１．２          ディスプレイエリアの第２の部分
１．３          ダイアフラム開口
２              フレームデバイス
２．１          フレーム／フレーム部材
３              サポートデバイス
Ｌ              ダイアフラム開口の位置における光の現出
【図１】
0005914529.tif 000002
【図２】
0005914529.tif 000003
【図３Ａ】
0005914529.tif 000004
【図３Ｂ】
0005914529.tif 000005
【図３ｃ】
0005914529.tif 000006
【図４Ａ】
0005914529.tif 000007
【図４Ｂ】
0005914529.tif 000008
【図５Ａ】
0005914529.tif 000009
【図５Ｂ】
0005914529.tif 000010
【図６Ａ】
0005914529.tif 000011
【図６Ｂ】
0005914529.tif 000012